(57)【要約】      （修正有）【課題】締付ナットの緩みを確実に阻止する。【解決手段】締付ナット６の形状をボルト１の上端面３を掩う厚肉の蓋部７を設けた袋状とし、この蓋部上面の周辺に片寄った位置に、この蓋部を貫通する直孔８を設けておく、袋状締付ナット６を強く締め込んだ後、その蓋部７上面の直孔８に切刃付ピン１０を挿入し、この切刃付ピンの角孔１２に電気ドリルの回転軸先端に取付けた角型ドライバーピンを差し込んで、切刃付ピンを回転させ、その下端の山形切刃１４によって、ボルトの上端面３の周辺に片寄った位置に円環状の切溝４を切込み、この溝に山形切刃を食い込ませた状態とする、これにより袋状の締付ナットをボルトに固定し、そしてこの食い込みを保持するため、この上より袋状緩み止めナット１５をかぶせて、これをねじ込むことにより切刃付ピン１０を強く押圧して、袋状締付ナット６のボルト１への固定を確実にして、外力により緩むことを阻止する。【選択図】図１
2018096531.tif 000002
【特許請求の範囲】
【請求項１】
ボルトに締め込むナットの緩み止めの構造において、締付ナット（６）の形状をボルト（１）の上端面（３）を掩う厚肉の蓋部（７）を設けた袋状とし、この蓋部上面の周辺に片寄った位置に、この蓋部を貫通する直孔（８）を設けておく、一方これに嵌合する切刃付ピン（１０）にはその上端面（１１）に角孔（１２）を設け、その下端面（１３）に円環状に配置された数個の山形切刃（１４）を突出するよう形成しておく、下部材（１９）にボルト（１）を固定し、これを通して上部材（１７）を重ねて置き、その上より袋状締付ナット（６）を強く締め込んだ後、その蓋部（７）上面の直孔（８）に切刃付ピン（１０）を挿入し、この切刃付ピンの角孔（１２）に電気ドリルの回転軸先端に取付けた角型ドライバーピンを差し込んで、切刃付ピンを回転させ、その下端の山形切刃（１４）によって、ボルトの上端面（３）の周辺に片寄った位置に円環状の切溝（４）を切込み、この溝に山形切刃を食い込ませた状態とする、これにより袋状締付ナットをボルトに固定する、そして太いボルトに締め込むナットの緩み止めの場合には、締付ナットの蓋部上面の相対する周辺近くの２箇所に直孔を設け、この各々に切刃付ピンを挿入し、切溝を切込むようにする、そしてこの食い込みを保持するため、この上より袋状緩み止めナット（１５）をかぶせて、これをねじ込むことにより切刃付ピン（１０）を強く押圧して、袋状締付ナット（６）のボルト（１）への固定を確実にし、振動等の外力により緩むことを阻止しうるようにした、ナットの緩み止めの構造。
【請求項２】
特許請求の範囲請求項１に記載したように、ボルトの上端面に円環状の切溝（４）を切込むために、切刃付ピン（１０）の下端面（１３）に円環状に配置された数個の山形切刃（１４）を突出して形成する代わりに、切刃付ピンの下端面（１３）の全面積にエンドミルと同様の切刃を設けて、これを回転することによりボルトの上端面に円形の浅溝を形成して、切刃付ピンを食い込ませた状態とし、袋付締付ナットをボルトに固定するようにした、ナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明は強力な締付け力を必要とする並目ねじのボルトにそのボルトの上端面に袋状の締付ナットの切刃付ピンの切刃を食い込ませることにより、締付ナットのゆるみを確実に阻止するようにする。
【課題を解決するための手段】
【０００４】  ボルトに締め込むナットの緩み止めの構造において、締付ナット６の形状をボルト１の上端面３を掩う厚肉の蓋部７を設けた袋状とし、この蓋部上面の周辺に片寄った位置に、この蓋部を貫通する直孔８を設けておく、一方これに嵌合する切刃付ピン１０にはその上端面１１に角孔１２を設け、その下端面１３に円環状に配置された数個の山形切刃１４を突出するよう形成しておく、下部材１９にボルト１を固定し、これを通して上部材１７を重ねて置き、その上より袋状締付ナット６を強く締め込んだ後、その蓋部７上面の直孔８に切刃付ピン１０を挿入し、この切刃付ピンの角孔１２に電気ドリルの回転軸先端に取付けた角型ドライバーピンを差し込んで、切刃付ピンを回転させ、その下端の山形切刃１４によって、ボルトの上端面３の周辺に片寄った位置に円環状の切溝４を切込み、この溝に山形切刃を食い込ませた状態とする、これにより袋状の締付ナットを固定する。【０００５】  そしてこの食い込みを保持するため、この上より袋状緩み止めナット１５をかぶせて、これをねじ込むことにより切刃付ピン１０を強く押圧して、袋状締付ナット６のボルト１への固定を確実にする。
【発明の効果】
【０００６】  本発明を実施することにより中大口径のナットは激しい振動に確実に耐えることができるようになる、又ボルトのねじ面は雨水、泥水にも保護されるため建設機械等の用途にも使用することが可能である。
【図面の簡単な説明】
【０００７】
【図１】本発明の実施形態の一例として、ボルトに袋状締付ナットを締め込み、緩み止を行った状態の縦断面図
【図２】図１の平面図
【図３】図１の側面図
【図４】図１のＸ−Ｘ断面図
【図５】図１、図２及び図３に組込まれている切刃付ピンの縦断面の拡大図
【図６】図５の平面図
【図７】図５の側面図
【発明を実施するための形態】
【０００８】  ボルトに締め込むナットの緩み止めの構造において、締付ナット６の形状をボルト１の上端面３を掩う厚肉の蓋部７を設けた袋状とし、この蓋部上面の周辺に片寄った位置に、この蓋部を貫通する直孔８を１箇所又は数箇所設けておく、直孔を２箇所設ける場合は蓋部上面の相対する位置に直孔を設ける、図１、図２、図３及び図４は直孔を１箇所のみ設けた場合を示している、そしてこの直孔に密接して円滑に回転するように切刃付ピン１０が挿入されている、切刃付ピンの上端面１１には角孔１２を設け、その下端面１３に円環状に配置された数個の山形切刃１４を突出するよう形成しておく、この山形切刃は硬く焼入れされ、鋭く研磨されている。猶作業中、切刃付ピンの落脱を防止するため、磁化しておくことは望ましい、下部材１９にボルト１を固定し、これを通して上部材１７を重ねて置き、その上より袋状締付ナット６を強く締め込んだ後、その蓋部７上面の直孔８に切刃付ピン１０を挿入し、この切刃付ピンの角孔１２に電気ドリルの回転軸先端に取付けた角型ドライバーピンを差し込んで、切刃付ピンを回転させ、その下端の山形切刃１４によって、ボルトの上端面３の周辺に片寄った位置に円環状の切溝４を切込み、この溝に山形切刃を食い込ませた状態とする、これにより袋状の締付ナットをボルトに固定する。
図４は切込みピンにより切込まれたボルト上端面の円環状の切溝を示すものであって袋状締付ナットの着脱を繰返したとき、その都度その数は増加するが、切込ピンの切込の効果に支障は生じない。
【０００９】  袋状締付ナットの蓋部７の外周には雄ねじ９を設け、これに袋状緩み止めナット１５の雌ねじ１６をねじ込むようにしている、そしてこの袋状緩み止めナットの締め付けにより、切刃付ピン１０を押圧して袋状締付ナット６のボルト１への固定を確実にし、振動等の外力により緩むことを阻止しうるようにする、袋状緩み止めナットの雌ねじ１６と袋状締付ナットの雄ねじ９のねじ結合は、切刃付ピンを押圧するだけの働きであるため大きな力を必要としないため細目ねじとし、且嵌合をきつくすることができる、従って特に廻り止め用歯付座金等を併用する必要なく、充分振動に耐えることができる。
【００１０】  ボルトの締付ねじは袋状締付ナット、切刃付みピン及び袋状緩み止めナットにより密閉されているため、雨水、泥水の浸入なくねじ面の錆びの発生し難い利点を持っている。
【符号の説明】
【００１１】１・・・ボルト                      ２・・・ボルトの締付ねじ
３・・・ボルトの上端面              ４・・・上端面の円環状の切溝
５・・・植込ねじ                    ６・・・袋状締付ナット
７・・・袋状締付ナットの蓋部        ８・・・袋状締付ナット蓋部の直孔
９・・・袋状締付ナット蓋部の雄ねじ  １０・・・切刃付ピン
１１・・・切刃付みピンの上端面      １２・・・切刃付ピン上端面の角孔
１３・・・切刃付みピンの下端面      １４・・・切刃付ピン下端面の円環状の山形切刃
１５・・・袋状緩み止めナット        １６・・・袋状緩み止ナットの雌ねじ
１７・・・上部材                    １８・・・上部材のボルト孔
１９・・・下部材                    ２０・・・下部材の雌ねじ
【図１】
2018096531.tif 000003
【図２】
2018096531.tif 000004
【図３】
2018096531.tif 000005
【図４】
2018096531.tif 000006
【図５】
2018096531.tif 000007
【図６】
2018096531.tif 000008
【図７】
2018096531.tif 000009
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
ボルトに締め込むナットの緩み止めの構造において、下部材（１９）に固定され、前記下部材に重ねて置かれた上部材（１７）を通るボルト（１）と、前記上部材の上から前記ボルトに締め込まれ、前記ボルト（１）の上端面（３）を掩う蓋部（７）を設けた袋状の形状を有し、前記蓋部上面の周辺に片寄った位置に、前記蓋部を貫通する少なくとも１つの直孔（８）が設けられた締付ナット（６）と、前記直孔に嵌合され、上端面（１１）に電気ドリルの回転軸先端に取付けた角型ドライバーピンが差し込まれる角孔（１２）が設けられ、下端面（１３）に円環状に配置された数個の山形切刃（１４）が突出するよう形成された少なくとも１つの切刃付ピン（１０）と、前記締付ナット（６）の上にねじ込まれる袋状緩み止めナット（１５）とを備え、前記切刃付ピンの前記山形切刃（１４）によって、前記ボルトの前記上端面（３）の周辺に片寄った位置に円環状の切溝（４）を切込み、前記切溝（４）に前記山形切刃（１４）を食い込ませると共に、前記袋状緩み止めナット（１５）により前記切刃付ピン（１０）を押圧することを特徴とするナットの緩み止めの構造。
【手続補正２】
【補正対象書類名】明細書
【補正対象項目名】全文
【補正方法】変更
【補正の内容】
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明は強力な締付け力を必要とする並目ねじのボルトにそのボルトの上端面に袋状の締付ナットの切刃付ピンの切刃を食い込ませることにより、締付ナットのゆるみを確実に阻止するようにする。
【課題を解決するための手段】
【０００４】  ボルトに締め込むナットの緩み止めの構造において、下部材１９に固定され、前記下部材に重ねて置かれた上部材１７を通るボルト１と、前記上部材の上から前記ボルトに締め込まれ、前記ボルト１の上端面３を掩う蓋部７を設けた袋状の形状を有し、前記蓋部上面の周辺に片寄った位置に、前記蓋部を貫通する少なくとも１つの直孔８が設けられた締付ナット６と、前記直孔に嵌合され、上端面１１に電気ドリルの回転軸先端に取付けた角型ドライバーピンが差し込まれる角孔１２が設けられ、下端面１３に円環状に配置された数個の山形切刃１４が突出するよう形成された少なくとも１つの切刃付ピン１０と、前記締付ナット６の上にねじ込まれる袋状緩み止めナット１５とを備え、前記切刃付ピンの前記山形切刃１４によって、前記ボルトの前記上端面３の周辺に片寄った位置に円環状の切溝４を切込み、前記切溝４に前記山形切刃１４を食い込ませると共に、前記袋状緩み止めナット１５により前記切刃付ピン１０を押圧することを特徴とするナットの緩み止めの構造である。
【発明の効果】
【０００５】  本発明を実施することにより中大口径のナットは激しい振動に確実に耐えることができるようになる、又ボルトのねじ面は雨水、泥水にも保護されるため建設機械等の用途にも使用することが可能である。
【図面の簡単な説明】
【０００６】
【図１】本発明の実施形態の一例として、ボルトに袋状締付ナットを締め込み、緩み止を行った状態の縦断面図
【図２】図１の平面図
【図３】図１の側面図
【図４】図１のＸ−Ｘ断面図
【図５】図１、図２及び図３に組込まれている切刃付ピンの縦断面の拡大図
【図６】図５の平面図
【図７】図５の側面図
【発明を実施するための形態】
【０００７】  ボルトに締め込むナットの緩み止めの構造において、締付ナット６の形状をボルト１の上端面３を掩う厚肉の蓋部７を設けた袋状とし、この蓋部上面の周辺に片寄った位置に、この蓋部を貫通する直孔８を１箇所又は数箇所設けておく、直孔を２箇所設ける場合は蓋部上面の相対する位置に直孔を設ける、図１、図２、図３及び図４は直孔を１箇所のみ設けた場合を示している、そしてこの直孔に密接して円滑に回転するように切刃付ピン１０が挿入されている、切刃付ピンの上端面１１には角孔１２を設け、その下端面１３に円環状に配置された数個の山形切刃１４を突出するよう形成しておく、この山形切刃は硬く焼入れされ、鋭く研磨されている。猶作業中、切刃付ピンの落脱を防止するため、磁化しておくことは望ましい、下部材１９にボルト１を固定し、これを通して上部材１７を重ねて置き、その上より袋状締付ナット６を強く締め込んだ後、その蓋部７上面の直孔８に切刃付ピン１０を挿入し、この切刃付ピンの角孔１２に電気ドリルの回転軸先端に取付けた角型ドライバーピンを差し込んで、切刃付ピンを回転させ、その下端の山形切刃１４によって、ボルトの上端面３の周辺に片寄った位置に円環状の切溝４を切込み、この溝に山形切刃を食い込ませた状態とする、これにより袋状の締付ナットをボルトに固定する。
図４は切込みピンにより切込まれたボルト上端面の円環状の切溝を示すものであって袋状締付ナットの着脱を繰返したとき、その都度その数は増加するが、切込ピンの切込の効果に支障は生じない。
【０００８】  袋状締付ナットの蓋部７の外周には雄ねじ９を設け、これに袋状緩み止めナット１５の雌ねじ１６をねじ込むようにしている、そしてこの袋状緩み止めナットの締め付けにより、切刃付ピン１０を押圧して袋状締付ナット６のボルト１への固定を確実にし、振動等の外力により緩むことを阻止しうるようにする、袋状緩み止めナットの雌ねじ１６と袋状締付ナットの雄ねじ９のねじ結合は、切刃付ピンを押圧するだけの働きであるため大きな力を必要としないため細目ねじとし、且嵌合をきつくすることができる、従って特に廻り止め用歯付座金等を併用する必要なく、充分振動に耐えることができる。
【０００９】  ボルトの締付ねじは袋状締付ナット、切刃付ピン及び袋状緩み止めナットにより密閉されているため、雨水、泥水の浸入なくねじ面の錆びの発生し難い利点を持っている。
【符号の説明】
【００１０】１・・・ボルト                      ２・・・ボルトの締付ねじ
３・・・ボルトの上端面              ４・・・上端面の円環状の切溝
５・・・植込ねじ                    ６・・・袋状締付ナット
７・・・袋状締付ナットの蓋部        ８・・・袋状締付ナット蓋部の直孔
９・・・袋状締付ナット蓋部の雄ねじ  １０・・・切刃付ピン
１１・・・切刃付ピンの上端面        １２・・・切刃付ピン上端面の角孔
１３・・・切刃付ピンの下端面        １４・・・切刃付ピン下端面の円環状の山形切刃
１５・・・袋状緩み止めナット        １６・・・袋状緩み止ナットの雌ねじ
１７・・・上部材                    １８・・・上部材のボルト孔
１９・・・下部材                    ２０・・・下部材の雌ねじ